(57)【要約】【課題】放電灯が寿命末期になって点灯回路が点灯禁止のホールド状態になっているときに周囲環境の変化を検知するセンサから放電灯を点灯させる信号が発生しても、点灯回路はリセットされずに点灯禁止のホールド状態を維持する。【解決手段】放電灯３が寿命末期になって専用ドライバ回路７の動作が停止状態にホールドすると、放電灯が消灯していても放電灯点灯と判別し専用ドライバ回路は動作しなくなる。これにより、専用ドライバ回路はセンサ２１が検知動作を行って点灯命令が入力しても放電灯を点灯させることはない。【選択図】  図１
2004265725.tif 000002
【特許請求の範囲】
【請求項１】
放電灯を点灯制御するとともに放電灯が寿命末期になったことを検知して点灯禁止にホールドし、かつ、リセット制御により点灯禁止のホールド状態を解除する点灯回路を備えた放電灯点灯装置において、周囲環境の変化を検知するセンサを設け、前記点灯回路は、前記放電灯が寿命末期になっていない状態では前記センサからの検知信号によって前記放電灯の点灯、消灯制御を行い、前記放電灯が寿命末期になった状態では前記センサからの検知信号の有無に関係なく点灯禁止のホールド状態を継続することを特徴とする放電灯点灯装置。
【請求項２】
請求項１記載の放電灯点灯装置と、この放電灯点灯装置を収容する照明器具本体とを備えたことを特徴とする照明器具。
【発明の詳細な説明】
【０００１】
【発明の属する技術分野】本発明は、放電灯点灯装置及び照明器具に関する。
【０００２】
【従来の技術】照明器具とセンサ付き送信器を設け、送信器の人感センサが人を検知して検知信号を発生すると、リモコン制御部が送信部から照明器具へ送信信号を送信し、照明器具では、送信信号を受信すると、器具制御部が負荷制御信号を発生し、負荷制御部が負荷制御信号に基づいて照明負荷を点灯させるものが知られている（例えば、特許文献１参照）。
【０００３】
【特許文献１】特開平１０−３２６６７９号公報（段落「００１８」、図１）
【０００４】
【発明が解決しようとする課題】ところで、この種の照明器具に使用される放電灯点灯装置としては、放電灯が寿命末期になると点灯しにくくなるが、この状態で放電灯を無理に点灯させようとすると、点灯回路に大きなダメージを与えることになる。このため、放電灯が寿命末期になるとそれを検知して点灯禁止状態にホールドするものが知られている。そして、このホールド状態は放電灯を交換したり、電源をオフしてから再度オンさせたりするとリセット制御によって解除されるようになっている。
【０００５】
このような放電灯点灯装置において、人感センサが人を検知した時に発生する検知信号を受けてリセット制御を行うと、放電灯が寿命末期になっているにも拘わらず人感センサが人を検知する毎に点灯動作が行われ、点灯回路に大きなダメージを与えるという問題があった。
【０００６】
そこで、本発明は、放電灯が寿命末期になって点灯回路が点灯禁止のホールド状態になっているときに周囲環境の変化を検知するセンサから放電灯を点灯させる信号が発生しても、点灯回路はリセットされずに点灯禁止のホールド状態を維持することができる放電灯点灯装置を提供する。
【０００７】
また、本発明は、放電灯が寿命末期になって点灯回路が点灯禁止のホールド状態になっているときに周囲環境の変化を検知するセンサから放電灯を点灯させる信号が発生しても、点灯回路はリセットされずに点灯禁止のホールド状態を維持することができる放電灯点灯装置を備えた照明器具を提供する。
【０００８】
【課題を解決するための手段】本発明は、放電灯を点灯制御するとともに放電灯が寿命末期になったことを検知して点灯禁止にホールドし、かつ、リセット制御により点灯禁止のホールド状態を解除する点灯回路を備えた放電灯点灯装置において、周囲環境の変化を検知するセンサを設け、点灯回路は、放電灯が寿命末期になっていない状態ではセンサからの検知信号によって放電灯の点灯、消灯制御を行い、放電灯が寿命末期になった状態ではセンサからの検知信号の有無に関係なく点灯禁止のホールド状態を継続する放電灯点灯装置にある。
【０００９】
なお、周囲環境の変化を検出するセンサとして、人の有無を検知する人感センサを使用することができる。また、周囲環境の変化を検出するセンサとして、周囲の明るさを検知する照度センサを使用することができる。さらにまた、周囲環境の変化を検出するセンサとして、人の有無を検知する人感センサ及び周囲の明るさを検知する照度センサの両方を使用することができる。
【００１０】
また、本発明は、請求項１記載の放電灯点灯装置と、この放電灯点灯装置を収容する照明器具本体とを備えた照明器具にある。
【００１１】
【発明の実施の形態】以下、本発明の実施の形態を、図面を参照して説明する。
【００１２】
図１は放電灯点灯装置の構成を示す回路構成図で、商用交流電源１に安定器２を介して放電灯３の各フィラメント電極３ａ，３ｂの一端を接続している。前記放電灯３の各フィラメント電極３ａ，３ｂの他端を端子Ｔ１、Ｔ２にそれぞれ接続し、その端子Ｔ１、Ｔ２間には、雑音防止用コンデンサ４を接続するとともに、電流ヒューズ５及び抵抗６を直列に介してＡＳＤと呼ばれている専用ドライバ回路７を接続している。すなわち、前記端子Ｔ１を、ラインＬ１を介して前記専用ドライバ回路７の３番端子に接続し、前記抵抗６を、ラインＬ２を介して前記専用ドライバ回路７の４番端子に接続している。
【００１３】
前記抵抗６の両端間電圧を電子スタータ専用ＩＣ８で検出している。すなわち、前記抵抗６の電流ヒューズ５と接続している一端を４番端子に接続し、前記抵抗６の他端を７番端子に接続している。前記電子スタータ専用ＩＣ８の１４番端子、１３番端子、１２番端子を、それぞれラインＬ３、Ｌ４、Ｌ５を介して前記専用ドライバ回路７の１番端子、５番端子、２番端子に接続している。
【００１４】
前記ラインＬ１とＬ３との間に抵抗９、１０、１１の直列回路を接続し、前記電子スタータ専用ＩＣ８の１４端子と１番端子との間に抵抗１２を接続している。そして、前記抵抗１１の両端間に第１のフォトカプラＰＣ１の双方向性受光素子１３ｂを接続し、前記抵抗１０、１１の直列回路の両端間に第２のフォトカプラＰＣ２の双方向性受光素子１４ｂを接続し、前記ラインＬ４とＬ２との間に第３のフォトカプラＰＣ３の双方向性受光素子１５ｂを接続している。
【００１５】
また、前記ラインＬ１とＬ５との間に抵抗１６、１７及びダイオード１８の直列回路を、ダイオード１８のアノードをラインＬ５側にして接続し、前記ラインＬ５とＬ２との間に電解コンデンサ１９を接続している。
【００１６】
また、前記端子Ｔ１、Ｔ２に全波整流回路２０の入力端子を接続している。この全波整流回路２０の出力端子間には、照度センサや人感センサなどの周囲環境の変化を検出するセンサ２１を介して第４のフォトカプラＰＣ４の発光ダイオード２２ａ、第５のフォトカプラＰＣ５の発光ダイオード２３ａ及び抵抗２４の直列回路を接続している。
【００１７】
また、前記全波整流回路２０の出力端子間には、抵抗２５を介して、前記第１のフォトカプラＰＣ１の発光ダイオード１３ａとＮＰＮ型トランジスタ２６の直列回路を接続するとともに、抵抗２７と前記第４のフォトカプラＰＣ４におけるホトトランジスタ２２ｂの直列回路を接続している。そして、前記抵抗２７とホトトランジスタ２２ｂとの接続点を前記トランジスタ２６のベースに接続している。
【００１８】
また、前記全波整流回路２０の出力端子間には、前記抵抗２５及び前記第５のフォトカプラＰＣ５のホトトランジスタ２３ｂを直列に介して、抵抗２８と前記第３のフォトカプラＰＣ３の発光ダイオード１５ａとの直列回路を接続し、また、抵抗２９と定電圧ダイオード３０と前記第２のフォトカプラＰＣ３の発光ダイオード１４ａとの直列回路を接続し、また、抵抗３１と電解コンデンサ３２との直列回路を接続している。
【００１９】
そして、前記定電圧ダイオード３０と発光ダイオード１４ａとの直列回路にＮＰＮ型トランジスタ３３を並列に接続し、そのトランジスタ３３のベース、エミッタ間に抵抗３４を接続している。また、前記抵抗３１と電解コンデンサ３２との接続点を、定電圧ダイオード３５を介して前記トランジスタ３３のベースに接続している。
【００２０】
このような構成の放電灯点灯装置においては、電源が投入されると、電解コンデンサ１９が充電され、この充電レベルが所定レベル以上になると、電子スタータ専用ＩＣ８及び専用ドライバ回路７は動作可能になる。
【００２１】
電子スタータ専用ＩＣ８は、１４番端子の電圧のゼロクロスから一定時間後のある位相における電圧が、規定されている電圧以上であれば、専用ドライバ回路７の３番端子と４番端子との間を短絡及び開放させて安定器２に誘起電圧を発生させ、放電灯３を点灯させる動作を行う。専用ドライバ回路７の３番端子と４番端子の短絡及び開放は内部に設けられたＡＣスイッチをオン、オフ制御して行う。また、電子スタータ専用ＩＣ８は、１３番端子を接地電位に落とすと、専用ドライバ回路７の３番端子と４番端子とを短絡、開放するが、このときには安定器２に誘起電圧を発生させず放電灯３が点灯しない位相に開放する。
【００２２】
また、照度センサや人感センサなどセンサ２１が動作しないときには、センサ２１はオフとなり、第４、第５のフォトカプラＰＣ４、ＰＣ５がオフする。これにより、第１のフォトカプラＰＣ１がオンし、第２、第３のフォトカプラＰＣ２、ＰＣ３がオフする。このときの電子スタータ専用ＩＣ８の１４番端子に印加される電圧は、抵抗９、１０の直列抵抗値と抵抗１２の抵抗値との比で決まる。このときの電圧は正常に放電灯３を点灯判別できる電圧に設定してある。
【００２３】
また、照度センサや人感センサなどセンサ２１が動作したときには、センサ２１はオンとなり、第４、第５のフォトカプラＰＣ４、ＰＣ５がオンする。これにより、第１のフォトカプラＰＣ１がオフし、第２、第３のフォトカプラＰＣ２、ＰＣ３がオンする。このとき、第５のフォトカプラＰＣ５がオンすると、コンデンサ３２が充電され、一定時間後に定電圧ダイオード３５がオンしてトランジスタ３３がオンし、定電圧ダイオード３０と第２のフォトカプラＰＣ２の発光ダイオード１４ａとの直列回路が短絡される。従って、一定時間経過後には第２のフォトカプラＰＣ２はオフされる。
【００２４】
このときに電子スタータ専用ＩＣ８の１４番端子に印加される電圧は、最初は抵抗９と抵抗１２の抵抗値の比で決まる。このときの電圧は、センサ２１がオフしている時よりも高くなり、放電灯が点灯していない状態と見なされる。専用ドライバ回路７の３番端子と４番端子が短絡する短絡状態において、第２のフォトカプラＰＣ２がオフとなり、専用ドライバ回路７の３番端子と４番端子が開放されたとき電子スタータ専用ＩＣ８の１４番端子の電圧はセンサ２１がオフしている時よりも低くなるため、放電灯３が消灯していても放電灯点灯と判別し専用ドライバ回路７は動作しなくなる。
【００２５】
具体的には、予熱開始時には専用ドライバ回路７内のＡＣスイッチがオンされ、３番端子と４番端子が短絡される。予熱電流が３５０ｍＡなど所定電流に達すると、それを抵抗６の両端間電圧を検出している電子スタータ専用ＩＣ８が検出し、専用ドライバ回路７を制御してＡＣスイッチをオフさせる。これにより、安定器２に誘起電圧が発生し、放電灯３のフィラメント電極３ａ，３ｂ間に印加する。
【００２６】
この動作によって放電灯３が点灯しなければ、電子スタータ専用ＩＣ８は再度専用ドライバ回路７を制御し、ＡＣスイッチをオンさせて予熱を行った後オフさせて安定器２にサイド誘起電圧を発生させる。そして、これを８回繰り返すまでに放電灯３が点灯すれば良いが、放電灯３が点灯しなかった場合には寿命末期と判断し、これにより放電灯３が消灯していても放電灯点灯と判別することで専用ドライバ回路７の動作を停止させる。以降、電源の再投入や放電灯３の交換などでリセット制御が行われるまで、この停止状態をホールドする。
【００２７】
そして、放電灯３が寿命末期になって専用ドライバ回路７の動作が停止状態にホールドすると、専用ドライバ回路７はセンタ２１が検知動作を行って点灯命令が入力しても放電灯３を点灯させることはない。これにより、寿命末期の放電灯を無理に点灯させることにより専用ドライバ回路７や電子スタータ専用ＩＣ８などの点灯回路がダメージを受けるのを防止できる。
【００２８】
なお、この実施の形態においては、照度センサ、あるいは人感センサからなるセンサを１個使用した場合について述べたがこれに限定するものではなく、照度センサと人感センサの両方、すなわち、センサを２個使用したものであっても良い。
【００２９】
図２はこのような構成の放電灯点灯装置を２灯点灯用の放電灯点灯装置にして組み込んだ照明器具を示している。すなわち、この照明器具５０は、照明器具本体５１のソケット５２，５３にそれぞれ放電灯５４，５５を取付け、内部に２灯点灯用の放電灯点灯装置５６を組み込み、この放電灯点灯装置５６によって放電灯５４，５５を点灯するようになっている。
【００３０】
【発明の効果】以上、本発明によれば、放電灯が寿命末期になって点灯回路が点灯禁止のホールド状態になっているときに周囲環境の変化を検知するセンサから放電灯を点灯させる信号が発生しても、点灯回路はリセットされずに点灯禁止のホールド状態を維持することができる放電灯点灯装置を提供できる。
【００３１】
また、本発明によれば、さらに、人を検知して点灯制御ができる放電灯点灯装置を提供できる。
【００３２】
また、本発明によれば、さらに、周囲の明るさを検知して点灯制御ができる放電灯点灯装置を提供できる。
【００３３】
また、本発明によれば、放電灯が寿命末期になって点灯回路が点灯禁止のホールド状態になっているときに周囲環境の変化を検知するセンサから放電灯を点灯させる信号が発生しても、点灯回路はリセットされずに点灯禁止のホールド状態を維持することができる放電灯点灯装置を備えた照明器具を提供できる。
【図面の簡単な説明】
【図１】本発明の実施の形態を示す回路図。
【図２】同実施の形態の放電灯点灯装置を組み込んだ照明器具を示す斜視図。
【符号の説明】３…放電灯、７…専用ドライバ回路、８…電子スタータ専用ＩＣ、９，１０，１１，１２…抵抗、２１…センサ、ＰＣ１，ＰＣ２，ＰＣ３，ＰＣ４，ＰＣ５…フォトカプラ。
【図１】
2004265725.tif 000003
【図２】
2004265725.tif 000004